(57)【要約】【課題】  本発明は作業指示配信表示方法及び示システム並びに作業指示配信表示プログラムに関し、生産ラインにおける複数工程に及ぶ作業指示情報を、通信ネットワークを介して容易に配信することを可能とすることを目的としている。【解決手段】  通信ネットワーク２を介して接続された映像記憶配信装置１と作業者端末３を含み、前記映像記憶配信装置が生産ラインにおける複数工程に及ぶ作業指示情報の個別映像を各工程に設置された前記作業者端末３に配信する作業指示配信表示システムであって、前記映像記憶配信装置１は、作業指示情報を個別映像に変換する個別映像変換手段５と、該個別映像変換手段５で変換された個別映像を記憶する工程別記憶手段７と、該工程別記憶手段７に前記個別映像を分配する工程別分配手段６と、前記工程別分配手段６で前記工程別記憶手段７に分配して格納される個別映像を前記作業者端末３に配信する配信手段９とを備えて構成される。【選択図】      図２
2007011657.tif 000002
【特許請求の範囲】
【請求項１】
映像記憶配信装置と作業者端末とを通信ネットワークを介して中継する作業指示配信表示方法であって、
前記映像記憶配信装置において作業指示情報を個別映像へ変換するステップ１と、
前記映像記憶配信装置において、該個別映像を工程別に分配し、工程別記憶手段に格納するステップ２と、
前記映像記憶配信装置において、工程別に分配された該個別映像を前記作業者端末に配信するステップ３と、
前記映像記憶配信装置において、前記個別映像が前記作業者端末へ配信成功時に、該個別映像を前記工程別記憶手段より削除するステップ４と、
前記映像記憶配信装置より前記作業者端末に配信された前記個別映像を閲覧するステップ５と、
を含んで構成されることを特徴とする作業指示配信表示方法。
【請求項２】
通信ネットワークを介して接続された映像記憶配信装置と作業者端末を含み、前記映像記憶配信装置が生産ラインにおける複数工程に及ぶ作業指示情報の個別映像を各工程に設置された前記作業者端末に配信する作業指示配信表示システムであって、
前記映像記憶配信装置は、
作業指示情報を個別映像に変換する個別映像変換手段と、
該個別映像変換手段で変換された個別映像を記憶する工程別記憶手段と、
該工程別記憶手段に前記個別映像を分配する工程別分配手段と、
前記工程別分配手段で前記工程別記憶手段に分配して格納される個別映像を前記作業者端末に配信する配信手段と、
を備え、
前記作業者端末は、前記通信ネットワークを介して前記映像記憶配信装置から配信される個別映像を受信して再生する再生手段と、
を含んで構成されることを特徴とする作業指示配信表示システム。
【請求項３】
前記作業指示情報は、複数生産ラインに及ぶ作業指示情報を含み、前記工程別分配手段は、前記個別映像を生産ライン別かつ工程別に前記工程別記憶手段に分配し、前記作業者端末は、生産ライン別かつ工程別に設置されることを特徴とする請求項２記載の作業指示配信表示システム。
【請求項４】
前記個別映像は、静止画像であることを特徴とする請求項２又は３記載の作業指示配信表示システム。
【請求項５】
前記映像情報は、音声を含むことを特徴とする請求項２又は３記載の作業指示配信表示システム。
【請求項６】
映像記憶配信装置と作業者端末とを通信ネットワークを介して中継する場合において、
作業指示情報を個別映像に変換して蓄積する処理と、
蓄積した個別映像を工程別に分配させ、再び蓄積する処理と、
工程別に蓄積した個別映像を作業者端末へ配信する処理と、
前記作業者端末に配信成功した個別映像を削除する処理と、
を映像記憶配信装置に実行させることを特徴とする作業指示配信表示プログラム。
【請求項７】
前記映像記憶配信装置より配信される個別映像を受信する処理と、受信した個別映像を蓄積する処理と、蓄積した個別映像を閲覧ないし再生する処理を作業者端末に実行させることを特徴とする請求項６記載の作業指示配信表示プログラム。
【発明の詳細な説明】
【技術分野】
【０００１】
本発明は作業指示配信表示方法及びシステム並びに作業指示配信表示プログラムに関し、特に生産ラインにおける複数工程に及ぶ作業指示情報の配信を効率的に行なうことができる作業指示配信表示方法及び作業指示配信表示システム並びに作業指示配信表示プログラムに関する。
【背景技術】
【０００２】
従来より、製造ラインや組み立てライン等における作業指示を各工程に配布する作業指示配布方法及び作業指示配布システムが知られている。この種の装置では、作業指示配布方法として、作業指示内容をマークアップ言語により記述したＷｅｂページを作成し、該Ｗｅｂページをネットワークを介して各工程に配置された端末に閲覧可能に配布するものが知られている（例えば特許文献１参照）。
【０００３】
この従来技術では、Ｗｅｂサーバが、生産管理データベースの生産管理情報に基づいて、製造ラインや組み立てラインの各工程における作業指示内容を、ＨＴＭＬ等のマークアップ言語により記述し、インターネット又はイントラネット等のネットワーク上にＷｅｂページとして公開される。
【０００４】
このようにして、作業指示情報をマークアップ言語により記述されたＷｅｂページで作成し、作成されたＷｅｂページはＷｅｂサーバによって閲覧可能になり、作業者が作業指示情報を、通信ネットワークを介して各工程に配置された端末で閲覧することによって、紙資源の節約及び要員配置の効率化を図っている。
【特許文献１】特開２００２−９２０９０号公報（段落００１９〜段落００２４、図１、図２）
【発明の開示】
【発明が解決しようとする課題】
【０００５】
生産ラインでは、入念な工程設計を行ない、作業指示情報を正確に作業者へ伝達してもタクトタイム（各工程毎に必要とする時間）がばらつくのが実状である。タクトタイムのばらつきが生産効率上無視できない場合、ライン編成等を練り直して、再度作業指示情報の伝達が必要となる。
【０００６】
一方、設計変更、使用部品変更、納入日変更等による計画変更により、作業指示情報を差し替えることも少なくない。また、少品種多量生産から多品種少量生産への市場変化による多頻度のライン切り替え発生等、作業指示情報の伝達は、多頻度かつ多量になる傾向がある。この作業指示情報の伝達を、紙面やファイル等で実施すれば、膨大な量の紙等の資源を浪費し、その作業に要員配置を費やさなければならないという問題がある。
【０００７】
そこで、多頻度かつ多量の作業指示情報の伝達を、前記特許文献１に記載されているＷｅｂサーバで配布することにより、紙面の配布が有する問題は一部解決されるが、Ｗｅｂサーバの構築及び管理には専門的技能が必要とされ、また膨大な量の作業指示情報をＨＴＭＬ文章で管理することは、そのＷｅｂサーバシステムに大きな資源と管理要員を必要とするという問題がある。
【０００８】
更に、生産拠点の国際化に伴い、多言語を表現する特殊な文字フォントが必要になる時には、Ｗｅｂのような端末側で文字描画を実行する方式の場合、各端末毎に国際化対応を行なう必要が生じ、その作業の要員と時間及び材料費は経済的にも負担となる。
【０００９】
加えて、Ｗｅｂのプル型通信ネットワーク配信（サーバまで情報を取りに行く配信）では、通信ネットワーク障害発生時、各々の端末の作業指示情報が最新であるかどうかを確認する手順を踏んで、はじめてラインを停止すべきかどうかの判断を行なうことができるという生産効率上の不都合がある。
【００１０】
本発明はこのような課題に鑑みてなされたものであって、作業指示情報の伝達・配信が容易で、かつ作成指示情報の作成に要員を選ばず、システム構築及び管理が容易で、通信ネットワーク配信前に作業指示情報を個別映像に変換し、通信ネットワーク障害発生時には最新の情報が各々の端末に配信成功したかが、映像記憶配信装置を調べれば直ちに判断することができる作業指示配信表示方法及びシステム並びに作業指示配信表示プログラムを提供することを目的としている。
【課題を解決するための手段】
【００１１】
（１）請求項１記載の発明は、映像記憶配信装置と作業者端末とを通信ネットワークを介して中継する作業指示配信表示方法であって、前記映像記憶配信装置において作業指示情報を個別映像へ変換するステップ１と、前記映像記憶配信装置において、該個別映像を工程別に分配し、工程別記憶手段に格納するステップ２と、前記映像記憶配信装置において、工程別に分配された該個別映像を前記作業者端末に配信するステップ３と、前記映像記憶配信装置において、前記個別映像が前記作業者端末へ配信成功時に、該個別映像を前記工程別記憶手段より削除するステップ４と、前記映像記憶配信装置より前記作業者端末に配信された前記個別映像を閲覧するステップ５と、を含んで構成されることを特徴とする。
【００１２】
（２）請求項２記載の発明は、通信ネットワークを介して接続された映像記憶配信装置と作業者端末を含み、前記映像記憶配信装置が生産ラインにおける複数工程に及ぶ作業指示情報の個別映像を各工程に設置された前記作業者端末に配信する作業指示配信表示システムであって、前記映像記憶配信装置は、作業指示情報を個別映像に変換する個別映像変換手段と、該個別映像変換手段で変換された個別映像を記憶する工程別記憶手段と、該工程別記憶手段に前記個別映像を分配する工程別分配手段と、前記工程別分配手段で前記工程別記憶手段に分配して格納される個別映像を前記作業者端末に配信する配信手段と、を備え、前記作業者端末は、前記通信ネットワークを介して前記映像記憶配信装置から配信される個別映像を受信して再生する再生手段と、を含んで構成されることを特徴とする。
【００１３】
（３）請求項３記載の発明は、前記作業指示情報は、複数生産ラインに及ぶ作業指示情報を含み、前記工程別分配手段は、前記個別映像を生産ライン別かつ工程別に前記工程別記憶手段に分配し、前記作業者端末は、生産ライン別かつ工程別に設置されることを特徴とする。
【００１４】
（４）請求項４記載の発明は、前記個別映像は、静止画像であることを特徴とする。
（５）請求項５記載の発明は、前記映像情報は、音声を含むことを特徴とする。
（６）請求項６記載の発明は、映像記憶配信装置と作業者端末とを通信ネットワークを介して中継する場合において、作業指示情報を個別映像に変換して蓄積する処理と、蓄積した個別映像を工程別に分配させ、再び蓄積する処理と、工程別に蓄積した個別映像を作業者端末へ配信する処理と、前記作業者端末に配信成功した個別映像を削除する処理と、を映像記憶配信装置に実行させることを特徴とする。
【００１５】
（７）請求項７記載の発明は、前記映像記憶配信装置より配信される個別映像を受信する処理と、受信した個別映像を蓄積する処理と、蓄積した個別映像を閲覧ないし再生する処理を作業者端末に実行させることを特徴とする。
【発明の効果】
【００１６】
（１）請求項１記載の発明によれば、作業指示情報の伝達・配信が容易で、かつ作成指示情報の作成に要員を選ばず、システム構築及び管理が容易で、通信ネットワーク配信前に作業指示情報を個別映像に変換し、通信ネットワーク障害発生時には最新の情報が各々の端末に配信成功したかを、映像記憶配信装置を調べれば直ちに判断することができる。
【００１７】
（２）請求項２記載の発明によれば、作業指示情報の伝達・配信が容易で、かつ作成指示情報の作成に要員を選ばず、システム構築及び管理が容易で、通信ネットワーク配信前に作業指示情報を個別映像に変換し、通信ネットワーク障害発生時には最新の情報が各々の端末に配信成功したかを、映像記憶配信装置を調べれば直ちに判断することができる。
【００１８】
（３）請求項３記載の発明によれば、作業者端末が生産ライン別かつ工程毎に設置されるので、作業者はその作業工程を作業者端末から目視により見ることができ、作業の効率化が図れる。
【００１９】
（４）請求項４記載の発明によれば、作業者端末に表示される個別映像情報として静止画像を用いることができる。
（５）請求項５記載の発明によれば、個別映像情報に音声を含ませることができ、作業者は作業の内容を音声で受けるので、作業手順をよりよく理解することができる。
【００２０】
（６）請求項６記載の発明によれば、請求項１に示した一連の作業をプログラムで実行することができる。
（７）請求項７記載の発明によれば、作業者端末に受信した個別映像をいったん蓄積し、蓄積された個別映像を読み出して作業者端末に表示させて閲覧することができる。
【発明を実施するための最良の形態】
【００２１】
以下、図面を参照して本発明の実施の形態例を詳細に説明する。
図１は本発明の全体構成例を示すブロック図である。図において、１は作業者端末に作業指示情報を流す映像記憶配信装置、２は該映像記憶配信装置１が接続される通信ネットワーク、３−１〜３−Ｎは通信ネットワーク２と接続され、作業指示情報を表示する作業者端末である。通信ネットワーク２としては、例えばＬＡＮ、ＷＡＮ、インターネット等が用いられる。以上、説明したように、本発明はプッシュ型のネットワーク配信システムを構成している。このように構成されたシステムの概要を説明すれば、以下の通りである。
【００２２】
映像記憶配信装置１には、予め各作業者端末３−１〜３−Ｎまでの作業情報が記憶されている。該映像記憶配信装置１は、通信ネットワーク２を介してそれぞれの作業者端末３−１〜３−Ｎに作業指示情報を配信する。そして、各作業者端末３−１〜３−Ｎには、それぞれの作業現場における作業手順が表示される。作業者は、自己の作業者端末３（３−１〜３−Ｎを代表させる記述）に表示された作業指示情報に基づいて作業を実施する。
【００２３】
作業工程の内容に変化が生じた場合には、オペレータはその作業内容の変更を映像記憶配信装置１に入力する。その変更結果は、通信ネットワーク２を介してそれぞれの作業者端末３に配信される。作業者は、作業者端末３に表示された作業内容に従って、作業を行なう。従って、本発明によれば、作業指示情報の伝達・配信が容易で、かつシステム構築及び管理が容易となる。
【００２４】
図２は映像記憶配信装置の具体的構成例を示すブロック図である。図１と同一のものは、同一の符号を付して示す。４は作業指示情報が記録された作業指示情報である。５は該作業指示情報の内容を個別映像情報に変換する個別映像変換手段である。６は個別映像変換手段５から送られてくる個別映像情報を作業の工程別に分配する工程別分配手段である。
【００２５】
７−１〜７−Ｎは工程別分配手段６からの工程別作業情報を個別映像として記憶する工程別記憶手段である。８−１〜８−Ｎは工程別記憶手段７−１〜７−Ｎに記憶される複数の個別映像である。９は各工程別記憶手段７（７−１〜７−Ｎを代表させる記述）に記憶されている工程別個別映像情報を通信ネットワーク２（図１参照）に配信する配信手段である。通信ネットワーク２に配信された工程別映像情報は、通信ネットワーク２を経由してそれぞれの作業者端末３に送出され、記憶される。１０は映像記憶配信装置１に接続され、各種のコマンドを入力する操作部である。操作部１０には、コマンドを入力するためのキーボードと各種情報を表示する表示部が設けられている。このように構成された装置の動作を説明すれば、以下の通りである。
【００２６】
例えばテキストで記述された作業指示情報４は、個別映像変換手段５により作業指示情報毎に映像情報に変換される。ここで、作業指示情報４に記録されている作業指示情報は、１ページに限るものではなく、複数枚にわたる場合もある。この場合には、複数枚数の映像情報が個別映像信号に変換される。このようにして個別映像情報に変換された信号は、個別に工程別分配手段６に入り、該工程別分配手段６により工程毎に分配され、工程別記憶手段７に入力される。各工程別記憶手段７−１〜７−Ｎに記憶された個別映像情報は、配信手段９を介して通信ネットワーク２に接続される。
【００２７】
配信手段９は、通信ネットワーク２を介して各作業者端末３−１〜３−Ｎに配信する。各作業者端末３には、当該作業工程で使用される作業手順が表示される。作業者は、この作業手順を見て作業を実行する。
【００２８】
このように、本発明によれば、作業指示情報の伝達・配信が容易で、かつ作成指示情報の作成に要員を選ばず、システム構築及び管理が容易で、通信ネットワーク配信前に作業指示情報を個別映像に変換し、通信ネットワーク障害発生時には最新の情報が各々の端末に配信成功したかを、映像記憶配信装置を調べれば直ちに判断することができる。
【００２９】
また、本発明によれば、作業指示情報の伝達・配信が容易で、かつ作成指示情報の作成に要員を選ばず、システム構築及び管理が容易で、通信ネットワーク配信前に作業指示情報を個別映像に変換し、通信ネットワーク障害発生時には最新の情報が各々の端末に配信成功したかを、映像記憶配信装置を調べれば直ちに判断することができる。
【００３０】
また、作業者端末が生産ライン別かつ工程毎に設置されるので、作業者はその作業工程を作業者端末から目視により見ることができ、作業の効率化が図れる。更に、作業者端末に表示される個別映像情報として静止画像を用いることができる。また更に、本発明によれば、個別映像情報に音声を含ませることができ、作業者は作業の内容を音声で受けるので、作業手順をよりよく理解することができる。
【００３１】
図３は本発明の動作の一例を示すフローチャートである。個別映像変換手段５は、作業指示情報の内容（テキスト）を個別に映像情報に変換する（Ｓ１）。工程別分配手段６は、個別映像変換手段５の出力を受けて個別映像を工程別に仕分ける（Ｓ２）。工程別分配手段６は個別映像を工程別に工程別記憶手段７−１〜７−Ｎに配信する（Ｓ３）。映像記憶配信装置１の制御手段（図示せず）は、配信が成功したかどうかチェックする（Ｓ４）。配信が成功した場合には、映像記憶配信装置の個別映像を削除して処理を終了する（Ｓ５）。次の作業手順の入力に備えるためである。配信が成功しなかった場合には、処理は終了する。
【００３２】
図４は操作画面の表示例を示す図である。該操作画面は、操作部１０に付属する表示画面に表示されている。図において、２０は書類名、２１は「参照」部、２２はライン番号、２３は「実行」部である。書類名２０の一部に数字「５」が表示されており、この例では５ページ毎に表示クライアント（作業者端末）に送る場合を示している。作業を行なうラインのライン番号は「９９」である。この状態で「実行」部をクリックすると、ライン番号９９に５頁の作業情報が送られて、作業者端末３に作業内容が表示される。作業者はこの表示の内容を参照して作業を行なうことになる。
【００３３】
図５は本発明の動作の一例を示す図である。図１，図２と同一のものは、同一の符号を付して示す。３１はワード（Ｗｏｒｄ）、３２はエクセル（Ｅｘｃｅｌ）、３３はパワーポイント（Ｐｏｗｅｒ  Ｐｏｉｎｔ）である。これらプログラムにより、作業指示情報が記録されている。これらのプログラムに記録された指示情報は、個別映像変換手段５により個別映像情報（例えばＢＭＰ）３４に変換される。
【００３４】
ＢＭＰ３４に変換された映像情報は、各ラインの作業者端末３に通信ネットワーク２を介して転送され、各作業者端末３に入る。作業者端末３は、図に示すように液晶表示部３ａとパソコン（ＰＣ）３ｂよりなり、液晶表示部３ａに作業指示情報がビジュアルに表示される。作業者はこの液晶表示部３ａを参照して作業の内容を把握することができ、作業の効率化に貢献する。
【００３５】
図６は本発明システムの全体構成例を示す図である。図２と同一のものは、同一の符号を付して示す。図において、４０は映像記憶配信装置として動作するサーバー、４１は分配器４２を介してサーバー４０と接続される操作パソコン（ＰＣ）である。該操作パソコン４１は、図２の操作部１０としての機能を有している。操作ＰＣ４１は、製造ラインの切り替えが決定すれば、製品の作業指示ファイルを何ラインの何所に割り付けるかを指示し、配信用作業指示ファイルを作成する。４ａは個別映像変換手段５により変換された映像作業情報であり、例えばサーバー４０に一時記憶されている。
【００３６】
４４は分配器（例えばＩＤＩＳ）４２を介して操作ＰＣ４１及びサーバー４０と接続されている配信ＰＣ、４５は該配信ＰＣ４４と接続される分配器である。該分配器４５は、生産ラインにおける各ラインＬ１，Ｌ２，Ｌ３と接続されている。図では、ラインＬ１〜Ｌ３までしか図示されていないが、更に多くのラインが設けられている。ラインＬ１では、例えば製品Ａと製品Ｃが製造され、ラインＬ２では製品Ａと製品Ｄが製造され、ラインＬ３では製品Ｂが製造されている。そして、各作業者端末３は１２台を一つのグループとして制御するようになっている。このように構成されたシステムの概略を説明すれば、以下の通りである。
【００３７】
作業指示情報４から個別映像変換手段５により映像情報に変換され、例えばサーバー４０内に一時的に４ａに示す映像指示情報として記憶される。これら映像指示情報と各ラインの作業者端末３に表示される作業内容とはその対応関係が予めとれている。操作ＰＣ４１は、各作業ラインの作業者端末３に配信ＰＣ４４を介して作業指示情報をダウンロードさせる。具体的には、配信ＰＣ４４から分配器４５を介して各ラインの作業者端末３にダウンロードする。ここで、各作業者端末３にダウンロードされる映像指示情報は、各作業者端末３毎に異なる。例えば、ラインＬ１の製品Ａの製造ラインにダウンロードされる映像指示情報は、工程１の２，３，４の３ページと、工程２の６，７ページであるが、ラインＬ１の製品Ｃの製造ラインにダウンロードされる映像指示情報は、工程１３の９の１ページである。
【００３８】
このようにして、各製造ラインの作業者端末３には、ライン毎に作業指示映像情報が表示され、作業者は作業者端末３に表示された内容に従って、製造を行なう。この時の作業者端末の表示部では、ビデオモニター（作業者端末の液晶表示部）に数枚の作業指示書のスライドショーを繰り返し放映することになる。
【００３９】
一方、このように各作業者端末３に映像指示情報がダウンロードされたら、サーバー４０に記憶されている映像指示情報は、操作ＰＣ４１からの操作により削除される。次の作業工程に備えるためである。次の作業工程が個別映像変換手段５により映像指示情報に変換され、サーバー４０に格納され、次の作業の変更に応じて、再度作業者端末３に作業指示情報を与える。
【００４０】
このように、本発明によれば、作業指示情報の伝達・配信が容易で、かつ作成指示情報の作成に要員を選ばず、システム構築及び管理が容易で、通信ネットワーク配信前に作業指示情報を個別映像に変換し、通信ネットワーク障害発生時には最新の情報が各々の端末に配信成功したかを、映像記憶配信装置を調べれば直ちに判断することができる。
【００４１】
なお、前述した作業工程をプログラムとして記述しておくことで、プログラムを実行することができる。この場合において、作業者端末に受信した個別情報をいったん蓄積し、蓄積された個別情報を読み出して作業者端末に表示させ、閲覧することができる。
【図面の簡単な説明】
【００４２】
【図１】本発明の全体構成例を示すブロック図である。
【図２】映像記憶配信装置の具体的構成例を示すブロック図である。
【図３】本発明の動作の一例を示すフローチャートである。
【図４】操作画面の表示例を示す図である。
【図５】本発明の動作の一例を示す図である。
【図６】本発明システムの全体構成例を示す図である。
【符号の説明】
【００４３】
１      映像記憶配信装置
４      作業指示情報
５      個別映像変換手段
６      工程別分配手段
７−１〜７−Ｎ  工程別記憶手段
８−１〜８−Ｎ  個別映像
９      配信手段
１０    操作部
【図１】
2007011657.tif 000003
【図２】
2007011657.tif 000004
【図３】
2007011657.tif 000005
【図４】
2007011657.tif 000006
【図５】
2007011657.tif 000007
【図６】
2007011657.tif 000008